(57)【要約】【課題】従来の串では、特に柔らかい物を刺す場合、刺した物が串を中心として回ってしまったり串からずれてしまった。また、串を垂直に保持する事により刺した物が手元方向へ下がってきてしまった。さらに、刺した物より出る液体物が手元方向へ垂れてきてしまった。【解決手段】  本発明は、第一串部材より枝分かれする様に設けられ、第一串部材の先端とは同一位置では無い第二串部材を設けた事を特徴とし、第一串部材手元最下部より第一串部材先端への道筋とは違う方向へ分岐した後、第一串部材先端方向へ延び、第一串部材手元最下部より先端までの長さが違い、第一串部材分岐点から各先端までの形状が非対称な第二串部材を設けている。第二串部材は第一串部材に対して垂直、もしくは第一串部材の手元方向へ延びた後に第一串部材先端方向へ延び、第二串部材支持部は凹部を有し、凹部の周囲へ第二串部材串部を設けた事を特徴とする。串より枝分かれし、串の先端とは同一位置では無いように串に取り付けられる事を特徴とするアダプター式第二串部材。【選択図】図６
2011212195.tif 000002
【特許請求の範囲】
【請求項１】
第一串部材より枝分かれする様に設けられ、第一串部材の先端とは同一位置では無い第二串部材を設けた事を特徴とする串。
【請求項２】
第一串部材手元最下部より第一串部材先端への道筋とは違う方向へ分岐した後、第一串部材先端方向へ延び、第一串部材手元最下部より先端までの長さが違う第二串部材を設けた事を特徴とする串。
【請求項３】
請求項１から２の串において、第一串部材分岐点から各先端までの形状が非対称な第二串部材を設けた事を特徴とする串。
【請求項４】
請求項１から３の串において、第二串部材は第一串部材に対して垂直、もしくは第一串部材の手元方向へ延びた後に第一串部材先端方向へ第二串部材串部が延びる事を特徴とする串。
【請求項５】
請求項１から４の串において、第二串部材支持部は凹部を有し、凹部の周囲へ第二串部材串部を設けた事を特徴とする串。
【請求項６】
串より枝分かれし、串の先端とは同一位置では無いように串に取り付けられる事を特徴とするアダプター式第二串部材。
【発明の詳細な説明】
【技術分野】
【０００１】
本発明は、串に関するものである。
【背景技術】
【０００２】
一般的に知られる串は、棒状で先端のとがった物や、細長い板状の物である。
【発明の概要】
【発明が解決しようとする課題】
【０００３】
従来の串では、特に柔らかい物を刺す場合、刺した物が串を中心として回ってしまったり串からずれてしまった。
また、串を垂直に保持する事により刺した物が手元方向へ下がってきてしまった。
さらに、刺した物より出る液体物が手元方向へ垂れてきてしまった。
【課題を解決するための手段】
【０００４】
本願発明は上記したような観点に着目した物であり、以下のように構成している。
第一串部材より枝分かれする様に設けられ、第一串部材の先端とは同一位置では無い第二串部材を設けた事を特徴とする。
第一串部材手元最下部より第一串部材先端への道筋とは違う方向へ分岐した後、第一串部材先端方向へ延び、第一串部材手元最下部より先端までの長さが違う第二串部材を設けた事を特徴とする。
第一串部材分岐点から各先端までの形状が非対称な第二串部材を設けた事を特徴とする。
第二串部材は第一串部材に対して垂直、もしくは第一串部材の手元方向へ延びた後に第一串部材先端方向へ第二串部材串部が延びる事を特徴とする。
第二串部材支持部は凹部を有し、凹部の周囲へ第二串部材串部を設けた事を特徴とする。
串より枝分かれし、串の先端とは同一位置では無いように串に取り付けられる事を特徴とするアダプター式第二串部材。
本願における串とは、主に食品を刺し展示あるいは食する為の道具という概念である。
【発明の効果】
【０００５】
本願発明により以下の効果を奏する。
第二串部材を設けた事により、調理・展示あるいは食する際に刺した物が串を中心として回らない事により利便性を高め、さらに刺した物が手元へ落ちてくる事を防ぎ、手元方向への液体物の垂れを抑えるもしくは分散させる事により扱いやすく食べやすさを提供できる。
【図面の簡単な説明】
【０００６】
【図１】図１は串１０を示した説明図である。（実施例１）
【図２】図２は串部材を示した説明図である。（実施例２）
【図３】図３は串部材名称を示した説明図である。（実施例１）
【図４】図４は点と線を示した説明図である。（実施例２）
【図５】図５は角度を示した説明図である。（実施例１）
【図６】図６は実施例を示した説明図である。（実施例２）
【図７】図７は第二串部材実施例を示した説明図である。（実施例１）
【図８】図８は加工実施例を示した説明図である。（実施例２）
【図９】図９はアダプター式串歩合の実施例を示した説明図である。（実施例１）
【図１０】図１０は補強の実施例を示した説明図である。（実施例２）
【図１１】図１１は実施例を示した説明図である。（実施例１）
【図１２】図１２は実施例を示した説明図である。（実施例２）
【図１３】図１３は実施例を示した説明図である。（実施例２）
【発明を実施するための形態】
【０００７】
以下に本願発明について図面に基づき詳細に説明する。
図２・３に示す様に、第一串部材１１より枝分かれするように設けられ、第一串部材先端１１a方向へ延びる、第一串部材先端１１aとは第二串部材先端１２aが同一位置では無い串である。
【０００８】
第一串部材先端１１a方向とは、第一串部材手元部１１cから第一串部材先端１１aへの向きある。
図４に示す様に、同一位置とは各先端を結ぶ直線の中心点１３と、分岐部中心点１４aを軸とし折り重ねた際、各先端が同一位置で重ならない事である。
【０００９】
図３・４に示す様に、第一串部材手元部１１c最下部より第一串部材先端１１aへの道筋とは違う方向へ分岐した後、第一串部材先端１１a方向へ延び、第一串部材先端１１aと第二串部材先端１２aから、第一串部材手元部１１c最下部と交わる水平線Hまでの平行な各鉛直線AとBの長さが違う。
分岐部１４から第一串部材先端１１aまでの形と、分岐部１４から第二串部材先端１２aまでの形が非対称な第二串部材を設けた串。
【００１０】
図３・４・５に示す様に、第二串部材１２は第一串部材先端１１aと分岐部中心点１４aを結ぶ直線に対し９０度、もしくは９０度以上の角度で第二串部材は延びた後に第一串部材先端１１a方向へ第二串部材先端１２aが延びる事により刺した物より出る事のある液体物を第一串部材手元部１１cと第二串部材１２へ分散出来、或いは第二串部材角度変更部１２cへ集中させる事が出来る事により手元への液体物の垂れを抑える。
【００１１】
図６に示す様に、第一串部材先端１１aより第一串部材手元部１１c方向に刺す物（ここではバナナで説明）を刺し入れ、第二串部材先端１２aあるいは第二串部材串部１２bまで、あるいは第二串部材角度変更部１２cまでに刺し入れる事により、食する際や串を斜めもしくは水平に保持した場合や、串えお回した場合、刺した物が第一串部材１１を中心として回転してしまう事を抑え、さらに第二串部材支持部１２dがある事により刺した物が第一串部材手元部１１c方向へ落ちてくる事を抑える事により食べやすさと扱いやすさを増す。
【００１２】
図７に示す様に、第二串部材１２が凹部を有し、凹部の周囲或いは第二串部材角度変更部１２cへ第二串部材を設けた事により液体物が溜まりやすく、さらに第二串部材角度変更部１２cへ流れるよう施す事によりその効果は増す。上記第二串部材１２はお椀型もしくは凹型・弓型・半筒型でも良い。
【００１３】
図８に示す様に、第一串部材１１もしくは第一串部材１１・第二串部材１２へ穴あけ加工・段差加工・溝加工を施す事によりさらに回りにくく、刺した物が差し込み方向へ戻りにくくなり、さらに加工部を折って使えるよう施す事により利用状況に応じた長さに調整し使用出来るものとする。
【００１４】
図９に示す様に、第二串部材１２へ、はめ込む或いは差し込む・縛り付けるなどの固定部材を加えるもしくは加工する事により、板状・円形状・角形状など適宜形状の串１０へ取り付ける事が出来、串１０より枝分かれするように設けられ、串の先端１０aとは同一位置では無い第二串部材１２として使用出来る。
【００１５】
本実施例の串１０・第一串部材１１・第二串部材１２は、本発明の技術的思想を逸脱しない範囲で種種の形状を採用可能である。
串１０・第一串部材１１・第二串部材１２は、板状・円形状・角形状・凹型形状・凸型形状・円錐形状・角錐形状でも良い。
【００１６】
串１０・第一串部材１１・第二串部材１２は、全てあるいは部分的にも同一径・同一幅でなくても構わない。
図１０に示す様に、第一串部材１１・第二串部材１２との間に補強を設けても良い。
【００１７】
図１１に示す様に、実施例では第二串部材１２は第一串部材１１より一箇所派生しているが、複数設ける事も出来る。また、同一第二串部材１２aでも良い。
【００１８】
図１２に示す様に、実施例では第二串部材先端１２aは第二串部材１２より一箇所派生しているが、複数設ける事も出来る。また、同一第二串部材１２aでも良い。
【００１９】
図１３に示す様に、串部材先端が枝分かれのように分岐しても良い。
本題における串部材とは串形状であるものとする。
【図１】
2011212195.tif 000003
【図２】
2011212195.tif 000004
【図３】
2011212195.tif 000005
【図４】
2011212195.tif 000006
【図５】
2011212195.tif 000007
【図６】
2011212195.tif 000008
【図７】
2011212195.tif 000009
【図８】
2011212195.tif 000010
【図９】
2011212195.tif 000011
【図１０】
2011212195.tif 000012
【図１１】
2011212195.tif 000013
【図１２】
2011212195.tif 000014
【図１３】
2011212195.tif 000015